(57)【要約】【課題】施工性を阻害することなく、建築用パネルの端部を強固に保持し得るパネル端部納め用部材、及びこれを用いた建築用パネルの端部納め構造を提供する。【解決手段】下地材２に取付けられる建築用パネル３０の一端部３１に沿って配設されるパネル端部納め用部材１であって、前記下地材に対して立ち上がるように形成され、前記建築用パネルの一端部の端面３２に対面して配される立ち上がり壁部１３と、該立ち上がり壁部の立ち上がり方向先端部から幅方向かつ前記建築用パネルが配される側に向けて突設され、該一端部の端面近傍表面３３に当接される当接片部１５とを有し、前記下地材に固定される受け部材１０と、前記当接片部の表面を覆い、該当接片部に当接される当接片カバー部２２を有したカバー部材２０と、前記カバー部材及び前記受け部材の一方に設けられた係合凹部１４と、他方に設けられ、該係合凹部に嵌め入れられる係合凸部２３と、を備えている。【選択図】図１
2010126872.tif 000002
【特許請求の範囲】
【請求項１】
下地材に取付けられる建築用パネルの一端部に沿って配設されるパネル端部納め用部材であって、
前記下地材に対して立ち上がるように形成され、前記建築用パネルの一端部の端面に対面して配される立ち上がり壁部と、該立ち上がり壁部の立ち上がり方向先端部から幅方向かつ前記建築用パネルが配される側に向けて突設され、該一端部の端面近傍表面に当接される当接片部とを有し、前記下地材に固定される受け部材と、
前記当接片部の表面を覆い、該当接片部に当接される当接片カバー部を有したカバー部材と、
前記カバー部材及び前記受け部材の一方に設けられた係合凹部と、他方に設けられ、該係合凹部に嵌め入れられる係合凸部と、
を備えていることを特徴とするパネル端部納め用部材。
【請求項２】
請求項１において、
前記受け部材の当接片部と、前記カバー部材の当接片カバー部とは、前記建築用パネルが配される側のそれぞれの側端面が略整合した位置に配されるように形成されていることを特徴とするパネル端部納め用部材。
【請求項３】
請求項１において、
前記受け部材の当接片部と、前記カバー部材の当接片カバー部とは、該当接片カバー部の前記建築用パネルが配される側の側端面が、前記当接片部の前記建築用パネルが配される側の側端面よりも前記建築用パネルの内方側となる位置に配されるように形成されていることを特徴とするパネル端部納め用部材。
【請求項４】
請求項１乃至３のいずれか１項において、
前記受け部材の当接片部は、前記建築用パネルが配される側の側端部から前記一端部の端面近傍表面側に向けて折り曲げ形成されるとともに、該端面近傍表面に当接される折り曲げ片部を含んでいることを特徴とするパネル端部納め用部材。
【請求項５】
請求項１乃至４のいずれか１項において、
前記係合凹部は、前記受け部材の立ち上がり壁部に設けられ、前記係合凸部は、前記カバー部材に設けられており、該係合凹部と該係合凸部とは、前記下地材に対して略垂直となる方向に沿って係合される構造とされ、
前記立ち上がり壁部における前記建築用パネルの一端部の端面に対面される対面部の立ち上がり方向先端側部位には、段状の切欠が形成されていることを特徴とするパネル端部納め用部材。
【請求項６】
請求項１乃至５のいずれか１項に記載されたパネル端部納め用部材を用いて前記建築用パネルの一端部を納める建築用パネルの端部納め構造であって、
前記建築用パネルの一端部の端面には、前記下地材に固定された前記受け部材の立ち上がり壁部が対面して配され、前記一端部の端面近傍表面には、該受け部材の当接片部が当接されており、
前記係合凹部に、前記係合凸部を嵌め入れて、前記カバー部材の当接片カバー部を、前記受け部材の当接片部の表面に当接させて支持する構造とされていることを特徴とする建築用パネルの端部納め構造。
【発明の詳細な説明】
【技術分野】
【０００１】
本発明は、建築用パネルの一端部に沿って配設されるパネル端部納め用部材、及びこれを用いた建築用パネルの端部納め構造に関する。
【背景技術】
【０００２】
従来より、住宅等の建物の壁や天井等に取付け施工される建築用パネルの端部には、該端部を被覆する見切り縁部材や、隣接する建築用パネルの端部間に介在されて、端部間の隙間を塞ぐ目地部材等のパネル端部納め用部材が配設されている。
このようなパネル端部納め用部材は、石膏ボードや合板捨張下地等の下地ボード、あるいは胴縁や受け桟、天井野縁等の下地桟等の下地材に、並列配置されて取付けられる複数枚の内装パネルや外装パネル、天井パネル等の建築用パネルの一端部に沿って該下地材に取付け固定される。
【０００３】
従来のパネル端部納め用部材としては、例えば、下記特許文献１には、内装材や外装材等の乾式壁材の端部をカバーしたり、張り始めたり、あるいは軒天、窓回りの納めに使用する端部材が提案されている。
上記特許文献１には、水平面状に形成され、下地材に固定される固定面と、該固定面の先端を上方に突出させた側面と、該側面の先端を固定面と略平行に突出させたカバー面とによって断面形状が略コ字状に形成されており、該コ字状の空間に、上記したような建築用パネルの端部が嵌め入れられる構造とされた端部材が提案されている。
【０００４】
また、上記特許文献１には、他の態様として、上記同様の固定面、上記同様の側面、及び該側面に設けられた嵌合凹部を有した敷目板（受け部材）と、該敷目板の嵌合凹部に嵌め入れられる係止突片を有したカバー材とからなり、該敷目板の固定面に建築用パネルの端部裏面を当接させ、カバー材の係止突片を上記嵌合凹部に嵌め入れて、該端部表面をカバーする構造とされた端部材が提案されている。
【特許文献１】特開平９−１３６４７号公報（図３、図７及び図８等参照）
【発明の開示】
【発明が解決しようとする課題】
【０００５】
しかしながら、上記特許文献１に記載されたような従来の一般的な端部材では、以下のような問題があった。
前者の断面形状が略コ字状とされた端部材では、例えば、金属製等の比較的、剛性のある端部材にすれば、建築用パネルの厚さ寸法の僅かな大小等により、該端部を上記コ字状空間へ嵌め入れ難くなり、該端部が傷付いたり、或いは、隙間が生じたりする問題があった。また、下地材に端部材を固着するためのビスや釘等の固定止具を捻じ込む（或いは打ち込む）ための止具挿通孔等を予め適所に開設しておく必要があり、固着箇所を自由に選択することができず、施工性の観点からも改善が望まれていた。
このような問題は、合成樹脂製等の弾性のある端部材にすれば、ある程度は改善されるが、その場合には、建築用パネルの端部を強固に保持することができない恐れがあった。或いは、強固に保持するためには、上記のようなコ字状の端部収容空間を比較的、大きく形成する必要があり、見栄えが悪くなるという問題もあった。
【０００６】
一方、後者のカバー材と受け部材とからなる端部材にすれば、上記したような嵌め入れの際に生じる恐れのある該端部の傷つきや、該端部との隙間等の発生は、ある程度は改善されるが、建築用パネルの端部の裏面と表面とを別部材にて保持する構造となるため、該端部を強固に保持することができない恐れがあった。
【０００７】
本発明は、上記実情に鑑みなされたものであり、施工性を阻害することなく、建築用パネルの端部を強固に保持し得るパネル端部納め用部材、及びこれを用いた建築用パネルの端部納め構造を提供することを目的としている。
【課題を解決するための手段】
【０００８】
前記目的を達成するために、本発明に係るパネル端部納め用部材は、下地材に取付けられる建築用パネルの一端部に沿って配設されるパネル端部納め用部材であって、前記下地材に対して立ち上がるように形成され、前記建築用パネルの一端部の端面に対面して配される立ち上がり壁部と、該立ち上がり壁部の立ち上がり方向先端部から幅方向かつ前記建築用パネルが配される側に向けて突設され、該一端部の端面近傍表面に当接される当接片部とを有し、前記下地材に固定される受け部材と、前記当接片部の表面を覆い、該当接片部に当接される当接片カバー部を有したカバー部材と、前記カバー部材及び前記受け部材の一方に設けられた係合凹部と、他方に設けられ、該係合凹部に嵌め入れられる係合凸部と、を備えていることを特徴とする。
【０００９】
本発明に係る前記パネル端部納め用部材においては、前記受け部材の当接片部と、前記カバー部材の当接片カバー部とを、前記建築用パネルが配される側のそれぞれの側端面が略整合した位置に配されるように形成してもよい。
或いは、本発明に係る前記パネル端部納め用部材においては、前記受け部材の当接片部と、前記カバー部材の当接片カバー部とを、該当接片カバー部の前記建築用パネルが配される側の側端面が、前記当接片部の前記建築用パネルが配される側の側端面よりも前記建築用パネルの内方側となる位置に配されるように形成してもよい。
【００１０】
本発明に係る前記いずれかのパネル端部納め用部材においては、前記受け部材の当接片部を、前記建築用パネルが配される側の側端部から前記一端部の端面近傍表面側に向けて折り曲げ形成されるとともに、該端面近傍表面に当接される折り曲げ片部を含んだ構成としてもよい。
【００１１】
本発明に係る前記いずれかのパネル端部納め用部材においては、前記係合凹部を、前記受け部材の立ち上がり壁部に設け、前記係合凸部を、前記カバー部材に設け、該係合凹部と該係合凸部とを、前記下地材に対して略垂直となる方向に沿って係合される構造とし、前記立ち上がり壁部における前記建築用パネルの一端部の端面に対面される対面部の立ち上がり方向先端側部位に、段状の切欠を形成してもよい。
【００１２】
また、前記目的を達成するために、本発明に係る建築用パネルの端部納め構造は、前記いずれかのパネル端部納め用部材を用いて前記建築用パネルの一端部を納める建築用パネルの端部納め構造であって、前記建築用パネルの一端部の端面には、前記下地材に固定された前記受け部材の立ち上がり壁部が対面して配され、前記一端部の端面近傍表面には、該受け部材の当接片部が当接されており、前記係合凹部に、前記係合凸部を嵌め入れて、前記カバー部材の当接片カバー部を、前記受け部材の当接片部の表面に当接させて支持する構造とされていることを特徴とする。
【発明の効果】
【００１３】
本発明に係る前記パネル端部納め用部材は、下地材に対して立ち上がるように形成された立ち上がり壁部の立ち上がり方向先端部から幅方向かつ建築用パネルが配される側に向けて突設された当接片部が、建築用パネルの端面近傍表面に当接されるので、該建築用パネルを下地材に取付け施工する際に、受け部材を下地材に固定することで、上記当接片部によって、上記建築用パネルの仮保持がなされる。従って、建築用パネルの施工性を向上させることができる。
また、上記受け部材の当接片部には、上記カバー部材の当接片カバー部が当接されるので、該当接片部を該当接片カバー部によって補強することができる。
これにより、例えば、受け部材を、合成樹脂製からなるものとし、カバー部材を金属製からなるものとした場合には、該受け部材が合成樹脂製であることから、その当接片部によって、上記したように建築用パネルの端部を差し込む際に、その端面近傍表面が傷付くようなことを防止できるとともに、該当接片部には、金属製のカバー部材の当接片カバー部が当接されて強固に補強されるので、建築用パネルの端部を強固に保持することができる。
さらに、上記受け部材へのカバー部材の組み付けは、上記係合凹部に上記係合凸部を嵌め入れることによって組み付けられるので、施工性が良い。
【００１４】
本発明に係る前記パネル端部納め用部材において、前記受け部材の当接片部と、前記カバー部材の当接片カバー部とを、前記建築用パネルが配される側のそれぞれの側端面が略整合した位置に配されるように形成すれば、例えば、上記当接片部の建築用パネル内方側への出幅が上記当接片カバー部よりも小さいものでは、該当接片カバー部と建築用パネルの表面との間の空間に、ゴミ等が溜まり易くなるが、そのようなことを防止できる。
或いは、本発明に係る前記パネル端部納め用部材において、前記受け部材の当接片部と、前記カバー部材の当接片カバー部とを、該当接片カバー部の前記建築用パネルが配される側の側端面が、前記当接片部の前記建築用パネルが配される側の側端面よりも前記建築用パネルの内方側となる位置に配されるように形成すれば、上述のようにゴミ等が溜まり易くはなるが、上記受け部材の当接片部を、上記カバー部材の当接片カバー部によって、確実に覆い隠すことができ、美観性を阻害するようなことがない。
【００１５】
本発明に係る前記パネル端部納め用部材において、前記受け部材の当接片部を、前記建築用パネルが配される側の側端部から前記一端部の端面近傍表面側に向けて折り曲げ形成されるとともに、該端面近傍表面に当接される折り曲げ片部を含んだ構成とすれば、例えば、該当接片部の建築用パネル側の面が平らに形成されているものと比べて、該建築用パネル表面と当接片部との当接が確実になされ、建築用パネル表面と該当接片部の折り曲げ片部との間に浮きや隙間等が生じることを低減できる。
【００１６】
本発明に係る前記パネル端部納め用部材において、前記係合凹部を、前記受け部材の立ち上がり壁部に設け、前記係合凸部を、前記カバー部材に設け、該係合凹部と該係合凸部とを、前記下地材に対して略垂直となる方向に沿って係合される構造とし、前記立ち上がり壁部における前記建築用パネルの一端部の端面に対面される対面部の立ち上がり方向先端側部位に、段状の切欠を形成すれば、以下のような効果を奏する。
すなわち、上記受け部材の立ち上がり壁部の対面部の基端側部位に、上記建築用パネルの端部端面が当接されて施工される際に、上記段状の切欠が、上記カバー部材の係合凸部を上記係合凹部に嵌め入れる際における該立ち上がり壁部の建築用パネル端面方向への弾性変形を許容する逃げ凹所として機能する。これにより、該受け部材の係合凹部へのカバー部材の係合凸部の嵌め入れが、スムーズになされ、受け部材とカバー部材との組み付け性を阻害することがない。
【００１７】
本発明に係る前記建築用パネルの端部納め構造によれば、上記いずれかのパネル端部納め用部材を用いて建築用パネルの一端部を納めるようにしているので、該建築用パネルの一端部を上記同様、強固に保持でき、下地材への建築用パネルの取付けが強固になされる。
【発明を実施するための最良の形態】
【００１８】
以下に本発明の最良の実施の形態について、図面に基づいて説明する。
図１（ａ）、（ｂ）は、いずれも第１実施形態に係るパネル端部納め用部材を模式的に示し、（ａ）は、概略分解断面図、（ｂ）は、組み付けた状態を示す概略断面図である。
図２は、同パネル端部納め用部材を用いて、壁面に施工された建築用パネルの施工状態の一例を示す概略平面図、図３は、同パネル端部納め用部材を用いた建築用パネルの端部納め構造の一例を示し、図２におけるＸ−Ｘ線矢視概略断面図、図４及び図５は、いずれも同パネル端部納め用部材を用いた建築用パネルの施工手順の一例を説明するための説明図であり、それぞれ図２におけるＹ部に対応させた概略分解平面図である。
尚、以下の各実施形態では、パネル端部納め用部材等を壁面に対して取付けた例を示しており、それに応じて縦、横の方向を示しているが、天井面に対してパネル端部納め用部材等を取付けた場合には、その方向は限定されない。
【００１９】
本実施形態に係るパネル端部納め用部材１は、図２に示すように、下地材としての壁面材２に対して、縦横のそれぞれに複数枚の建築用パネル３０,・・・を並列させて取付け施工された複数枚からなる建築用パネル３０の集合体の最外周端部の四周に沿ってそれぞれ配設される見切り縁材１とされている。
尚、見切り縁材１が取付け固定される下地材としては、図２に示すような壁面材２に限られず、図２に示す天井材３としてもよい。このように、壁面材２や天井材３を下地材とする場合には、例えば、壁クロスや壁紙等が貼着された壁仕上げ面や天井仕上げ面等を下地材として把握してもよく、或いは、壁クロスや壁紙等が貼着されている場合には、それらを剥離して、石膏ボードや合板捨張下地等の下地ボードを露出させてそれらを下地材として把握してもよい。または、新築時等においては、壁クロスや壁紙等が貼着される前の下地ボードを下地材として把握してもよい。若しくは、胴縁や受け桟、天井野縁等の下地桟等を下地材として把握してもよい。
また、内壁や天井に限らず、外壁（不図示）に本実施形態に係る見切り縁材１を施工するようにしてもよい。
【００２０】
上記見切り縁材１は、大略的に、図１（ａ）に示すように、釘やタッカー、ステイプル、木ねじｔｓ（図４（ａ）参照）等の固定止具によって壁面材２に固定される見切り受け部材１０と、該見切り受け部材１０をカバーし、該見切り受け部材１０に対して着脱自在とされた見切りカバー部材２０とを備えている。
上記見切り受け部材１０は、上記壁面材２に取付け固定される平板状に形成された第１固定片部１１及び第２固定片部１２と、これら固定片部１１，１２から立ち上がるように、壁面材２に対して垂直となる方向（建築用パネル３０の厚さ方向）に沿って立設された立ち上がり壁部１３と、該立ち上がり壁部１３の立ち上がり方向先端部（手前側端部）から基端部側に向けて凹設された係合凹溝１４と、該立ち上がり壁部１３の上記先端部から幅方向かつ建築用パネル３０が配される側に向けて突設され、建築用パネル３０の端面近傍表面３３に当接される当接片部１５とを備えている。
【００２１】
上記第１固定片部１１及び第２固定片部１２は、上記立ち上がり壁部１３の基端部から幅方向両側に向けて延設されており、一方の比較的、幅広に形成された第１固定片部１１が、建築用パネル３０の端部３１側に配置され、他方の比較的、幅狭に形成された第２固定片部１２が外方側（建築用パネルが配される側とは異なる側）に配置される。
これら第１固定片部１１及び第２固定片部１２のうちの少なくともいずれか一方に、木ねじｔｓ等の固定止具が捻じ込まれ（或いは打ち込まれ）、見切り受け部材１０が壁面材２に対して取付け固定される。
【００２２】
上記立ち上がり壁部１３は、壁面材２に取付け施工される建築用パネル３０の端部３１の端面３２に対面して配される対面部を有し、該対面部は、基端側（壁面材２側）の基端側対面部１３ａよりも先端側の先端側対面部１３ｂが外方側に位置するように形成されており、これにより、該対面部に段状の切欠を形成している。すなわち、該立ち上がり壁部１３の基端側対面部１３ａに、建築用パネル３０の端面３２が当接して配され場合に、上記先端側対面部１３ｂには、該端面３２が当接せず、該端面３２と先端側対面部１３ｂとの間に、僅かな空間が形成されるよう、上記段状の切欠を形成している。この段状の切欠が、後記する見切りカバー部材２０の係合突条２３が上記係合凹溝１４に嵌め入れられる際における立ち上がり壁部１３の対面部の弾性変形を伴った幅方向（建築用パネル３０の端面３２方向）への変形を許容するための逃げ凹所として機能する。
【００２３】
上記係合凹溝１４は、当該見切り受け部材１０の長手方向の全長に亘って凹設されており、その開口縁近傍の両内側面に、該凹溝の幅を狭めるようにして突出された係止凸部を長手方向の全長に亘って有している。この係合凹溝１４の係止凸部に後記する係合突条２３が着脱自在に係止される。
上記当接片部１５は、上記立ち上がり壁部１３の先端部から内方側（建築用パネルが配される側）に向けて突出するように形成されている。また、該当接片部１５は、その内方側端部に、建築用パネル３０の端面近傍表面３３側に向けて折り曲げ形成されるとともに、該端面近傍表面３３に当接される折り曲げ片部１５ｂを有している。換言すれば、当接片部１５の基端側（立ち上がり壁部１３側）の裏面には、上記端面近傍表面３３が当接せず、該当接片部１５の基端側裏面と、端面近傍表面３３との間に空隙が形成される構造とされている。
【００２４】
上記折り曲げ片部１５ｂは、後記するように、建築用パネル３０の端部３１が嵌め入れられる際に、スムーズにその嵌め入れがなされるよう、その当接側の端部（端面近傍表面３３に当接される部位）が、丸みを帯びた形状とされている。
また、上記当接片部１５は、図１（ｂ）に示すように、その内方側端面１５ａと、後記する見切りカバー部材２０の当接片カバー部２２の内方側端面２２ａとが、略整合した位置に配されるように、立ち上がり壁部１３からの出幅が設定されている。この当接片部１５の上記出幅は、後記するように建築用パネル３０を壁面材２に対して取付け施工する際に、建築用パネル３０を仮保持し得る程度の出幅とすることが好ましい。
【００２５】
上記見切り受け部材１０は、本実施形態では、上記第１固定片部１１と、上記立ち上がり壁部１３と、上記当接片部１５とによって、断面形状が略コ字状とされており、該コ字状の開放空間に、建築用パネル３０の端部３１が嵌め込まれて、収容される構造とされている。上記立ち上がり壁部１３の第１固定片部１１からの高さは、建築用パネル３０の厚さに応じて、上記当接片部１５の上記折り曲げ片部１５ｂに、建築用パネル３０の端面近傍表面３３が当接し得るよう、適宜、設定されている。
尚、該立ち上がり壁部１３の高さを、建築用パネル３０の厚さよりも僅かに小さくするようにしてもよい。この場合は、上記当接片部１５の折り曲げ片部１５ｂが上記端面近傍表面３３に対して弾性的に接し、該当接片部１５の弾性復元力によって該建築用パネル３０の端部３１をより強固に仮保持できる。
【００２６】
上記見切り受け部材１０は、本実施形態では、ポリプロピレンや、ＡＢＳ、ポリエチレンテレフタレート、ポリカーボネート、ＰＰＳ等の合成樹脂材料から押出成形や射出成形、切削加工等によって一体的に成形され、長尺に形成されている。
尚、見切り受け部材１０としては、上記のような合成樹脂製に限られず、アルミニウムやステンレス等の金属材料から押出成形やプレス成形あるいは切削加工等によって一体的に成形した金属製のものとしてもよい。
また、上記見切り受け部材１０の第１固定片部１１及び第２固定片部１２の厚さは、１．０ｍｍ程度〜３．０ｍｍ程度の薄板状とすることが好ましい。これにより、建築用パネル３０を、例えば、より強固に取付け施工するために、壁面材２に対して接着剤で接着するような場合においても、接着剤の塗布量を低減できるとともに接着剤の塗布工程も簡易なものとなる。
【００２７】
上記見切りカバー部材２０は、断面形状が略Ｌ字状とされて、その一辺部が建築用パネル３０の表面と平行に形成された前カバー部２１とされ、その他辺部が上記壁面材２に対して垂直方向に沿って形成された側部カバー部２４とされている。
上記前カバー部２１の内方側の側端部部位が上記見切り受け部材１０の当接片部１５の表面を覆い、該当接片部１５の表面に当接して配置される当接片カバー部２２を構成する。
この当接片カバー部２２の内方側端面２２ａは、上記したように、上記見切り受け部材１０の当接片部１５の内方側端面１５ａと略整合した位置に配されるよう形成されている。
【００２８】
上記前カバー部２１の裏面側部位には、後方側（壁面材２側）に向けて係合突条２３が突設されており、該係合突条２３は、当該見切りカバー部材２０の長手方向の全長に亘って形成されている。
該係合突条２３の下端部近傍には、幅方向両側に向けて突出された係止凸部が長手方向の全長に亘って形成されている。この係合突条２３の係止凸部が、上記係合凹溝１４に該係合突条２３を嵌め入れた際に、該係合凹溝１４の係止凸部に係止して、当該見切りカバー部材２０が、上記見切り受け部材１０に係合保持される。
本実施形態では、これら係合突条２３と、係合凹溝１４とは、上記壁面材２に対して略垂直となる方向に沿って係合される構造とされるとともに、上記見切りカバー部材２０が上記見切り受け部材１０に対して着脱自在となるよう形成されている。
【００２９】
上記側部カバー部２４の内方側面には、後記する固定金具７（図５参照）の押さえ片９によって係止される係止受け片２５が内方側に向けて突設されている。
当該見切りカバー部材２０と、上記見切り受け部材１０との係合がなされた状態では、上記側部カバー部２４は、該見切り受け部材１０の外方側側部の略全体を覆い隠すように形成されており、また、上記前カバー部２１は、上記見切り受け部材１０の第２固定片部１２及び立ち上がり壁部１３の手前側の略全体を覆い隠すように形成されている。
また、上記見切りカバー部材２０は、本実施形態では、アルミニウムやステンレス等の金属材料から押出成形やプレス成形あるいは切削加工等によって一体的に成形され、上記見切り受け部材１０と同様、長尺に形成されている。
【００３０】
上記のように、見切りカバー部材２０を金属製のものとすることで、見切り縁材１の表面側に露出する部位の高級感（素材感）を高めることができ、美観性に優れたものとなる。
また、本実施形態では、該見切りカバー部材２０を金属製のものとし、上記見切り受け部材１０を合成樹脂製のものとしているので、これらを係合させる際、すなわち、上記係合突条２３を係合凹溝１４に嵌め入れる際に、スムーズに嵌め入れることができ、施工時にスムーズに組み付けることができる。
さらに、合成樹脂製の見切り受け部材１０の当接片部１５を、金属製の見切りカバー部材２０の当接片カバー部２２によって効果的に補強することができ、建築用パネル３０の端部３１を強固に保持できる。
さらにまた、上記見切りカバー部材２０は、上記見切り受け部材１０に対して着脱自在に係合保持される構造とされているので、例えば、見切りカバー部材２０を模様替え等のために交換したり、或いは、廃棄等したりする際に、容易に脱離させることができる。
尚、見切りカバー部材２０としては、上記のような金属製に限られず、上記したような合成樹脂製としてもよい。
【００３１】
次に、本実施形態に係る見切り縁材１を用いて壁面材２に取付け施工された建築用パネル３０の施工状態及び該建築用パネル３０の端部納め構造の一例、並びに上記見切り縁材１を用いた建築用パネル３０の施工手順の一例について、図２〜図５に基づいて説明する。
本例では、図２に示すように、複数枚（図例では１２枚）の建築用パネル３０を縦横にそれぞれ並列配置して、壁面材２に対して部分的に取付け施工した例を示している。また、これら建築用パネル３０のそれぞれ隣接する端部間には、後記する横目地部材４と、縦目地部材５とが配設されており、これら横目地部材４と縦目地部材５とによって格子状に目地を形成するようにしている。
また、縦横にそれぞれ並列配置された複数枚からなる建築用パネル３０の集合体の最外周端部に沿って、四周に上記見切り縁材１が配設されている。
また、これら見切り縁材１の長手方向の各端部が近接された各コーナー部には、コーナーキャップ６が該コーナー部を覆うように、それぞれ取付けられている。
【００３２】
上記建築用パネル３０のそれぞれは、矩形状の板状体からなり、例えば、木質系材料や上記同様の合成樹脂系材料、窯業系材料、上記同様の金属系材料等から形成されたものとしてもよい。
上記木質系材料としては、無垢の木材を板状に加工したものや、集成材や合板、ＬＶＬ（単板積層材）、パーティクルボード、或いは、インシュレーションボードやＭＤＦ（Ｍｅｄｉｕｍ  Ｄｅｎｓｉｔｙ  Ｆｉｂｅｒｂｏａｒｄ、中質繊維板、中密度繊維板とも言う）等の木質繊維板、或いはこれらを積層し組み合わせた複合材料などを板状に加工したもの、若しくは、これらを基材として、突き板や合成樹脂シート等の表面化粧シート材を更に貼着したものや、該基材の表面に化粧塗装を施したものが挙げられる。
上記窯業系材料としては、レンガ、瓦、セラミックスや、セメントを主成分として補強繊維や無機質充填材を含有したセメント系の窯業系材料等が挙げられる。
上記合成樹脂系材料、窯業系材料及び金属系材料は、それぞれ、上記木質系材料と同様、これらを基材として、更に突き板や樹脂シート等の化粧シート材を更に貼着したものや、該基材の表面に化粧塗装を施したものとしてもよい。
【００３３】
また、上記建築用パネル３０としては、種々の機能性が付与された機能性パネルとしてもよい。機能性パネルとしては、例えば、調湿パネルや吸音パネル、防音パネル、防汚パネル、抗菌パネル等が挙げられる。
あるいは照明装置を内蔵した照明パネルや、棚板を手前側に向けてパネルに突設した棚板パネル、前面開口箱形状の収納箱をパネルに付設した収納パネルとしてもよい。これら照明装置や棚板、収納箱は、パネルに対して着脱可能に設けるようにしてもよい。あるいは、棚板や収納箱をパネルと一体成形するようにしてもよい。
【００３４】
上記のように、建築用パネル３０を内装用の機能性パネルとした場合には、施工箇所や施工範囲（施工枚数）を適宜、選択・変更することで、例えば、調湿パネルを施工する場合には、室内の調湿機能が適切となるように調整できたり、吸音パネルを施工する場合には、室内の音響効果が適切となるように調整できたりする。
また、上記した種々の建築用パネル３０自体を下地材（壁面材２や天井材３等）に対して着脱可能とする構成としてもよい。すなわち、接着剤等で接着せずに、下地材側、及び建築用パネル３０の裏面側にそれぞれ係合部を設けて、容易に着脱できるようにしてもよい。後記するように、これら複数枚の建築用パネル３０の端部３１は、見切り縁材１、後記する縦目地部材４及び横目地部材５によって、強固に保持されているので、接着剤等で接着しない場合にも、下地材から不用意に脱離するようなことがなく、また、これら見切り縁材１、後記する縦目地部材４及び横目地部材５から脱離させることで、建築用パネル３０を容易に交換することができる。
【００３５】
尚、建築用パネル３０の形状は、図例のような略正方形状に限らず、長方形状のものとしてもよい。
また、建築用パネル３０の大きさは、施工箇所等に応じて適宜、設定可能であり、一辺が１００ｍｍ〜５００ｍｍ程度の比較的小モジュールのもの、一辺が５００ｍｍ〜９００ｍｍ程度の中モジュールのもの、あるいは、一辺が９００ｍｍ〜１８００ｍｍ程度の比較的大モジュールのものとしてもよい。
【００３６】
上記横目地部材４は、横方向に沿って並設された複数枚の建築用パネル３０の上下端部間、すなわち、上下に隣接する建築用パネル３０の端部間に配設されており、上記見切り縁材１と同様、壁面材２に固定される固定片部や隣接する建築用パネル３０，３０の各端面３２，３２に対面して配される立ち上がり壁部等を有した目地受け部材と、該立ち上がり壁部に着脱自在に係合保持されるカバー目地部材とを備えている。
このカバー目地部材の手前側端部には、図３に示すように、幅方向両側に向けて突出された鍔部４ａが設けられており、該鍔部４ａが建築用パネル３０の端面近傍表面に当接して、端部の保持がなされている。
また、該横目地部材４は、横方向に並列配置された複数枚の建築用パネル３０の集合体の横方向の略全長に亘って配設されており、その長手方向の両端部が、建築用パネル３０の集合体の左右端部にそれぞれ配設された上記見切り縁材１，１の見切りカバー部材２０，２０の当接片カバー部２２，２２に当接して保持されている。
【００３７】
上記縦目地部材５は、左右に隣接する建築用パネル３０の端部間に配設されており、上記横目地部材４と略同様の構成とされている。また、その長さは、各建築用パネル３０の縦方向の一辺に合わせて形成されている。
上記コーナーキャップ６は、図３及び図５（ｂ）に示すように、前板部と、該前板部の外側二辺からそれぞれ後方側（壁面材２側）に向けて垂設された側板部とから構成されており、上記見切りカバー部材２０の外方側側面に接着等されて、縦方向及び横方向に沿って配設された見切りカバー部材２０，２０の上記コーナー部をカバーしている。尚、該コーナーキャップ６は、接着剤等で接着せずに、例えば、後記する固定金具７や見切りカバー部材２０等に係合部を設けるとともに、該係合部に対応させた係合部をコーナーキャップ６の内方側に設けて、着脱自在に上記コーナー部に取付け固定される構成としてもよい。
【００３８】
上記各部材を用いて、建築用パネル３０を壁面材２に対して取付け施工する際には、まず、図４（ａ）に示すように、上記建築用パネル３０の集合体の四周の端部に沿ってそれぞれ配設される見切り縁材１のうちの床側端部及び左側端部に沿って配設される見切り縁材１の各見切り受け部材１０を、壁面材２に固定する（図２も参照）。
すなわち、各見切り受け部材１０の第１固定片部１１，１１に対して木ねじ等の固定止具ｔｓを捻じ込んで（釘等の場合は打ち込んで）、壁面材２に各見切り受け部材１０，１０を固着させる。この際、見切り受け部材１０は、上記したように合成樹脂製であるとともに、各固定片部１１，１２は、比較的、薄板状とされているので、上記固定止具ｔｓを、所望する位置の適所に止着させることができ、施工性が良い。
【００３９】
次いで、図４（ｂ）に示すように、これら見切り受け部材１０，１０の上記コ字状空間に、最床側かつ最左方側に取付け施工する建築用パネル３０の床側端部３１及び左側端部３１をそれぞれ嵌め入れる。
この状態では、当該建築用パネル３０の床側端面近傍表面３３及び左側端面近傍表面３３には、各見切り受け部材１０，１０の当接片部１５，１５がそれぞれ当接して、該建築用パネル３０が仮保持された状態となる。
【００４０】
次いで、詳細な説明は、省略するが、当該建築用パネル３０の右側端部に沿って、上記縦目地部材５の目地受け部材を壁面材２に固着し、最床側かつ中央の建築用パネル３０の床側端部３１を上記同様、床側端部に沿って配設された見切り受け部材１０のコ字状空間に嵌め入れ、縦目地部材５のカバー目地部材を目地受け部材に取付ける。さらに、同様にして、縦目地部材５及び最床側かつ最右方側の建築用パネル３０を取付け施工する。この状態では、最床側の３枚の建築用パネル３０が仮施工された状態となり、さらに、これら３枚の建築用パネル３０の天井側端部に沿って、上記横目地部材４の目地受け部材及びカバー目地部材を壁面材２に取付け固定する。以下、同様にして、建築用パネル３０並びに隣接する建築用パネル３０の端部間に上記縦目地部材５及び上記横目地部材４を取付け施工する。
【００４１】
次いで、上記建築用パネル３０の集合体の四周の端部に沿ってそれぞれ配設される見切り縁材１のうちの天井側端部及び右側端部に沿って配設される見切り縁材１の各見切り受け部材１０を、壁面材２に固定する（図２も参照）。
この際、各見切り受け部材１０，１０の各第１固定片部１１，１１を、上記建築用パネル３０の集合体の天井側端部及び右側端部のそれぞれ裏面と壁面材２との間に差し込むようにして配設し、各第２固定片部１２，１２に対して上記同様の固定止具ｔｓを止着させるようにしてもよい（図３も参照）。このように、第２固定片部１２，１２に対して固定止具ｔｓを止着させた場合にも、該第２固定片部１２，１２は、上記したように見切りカバー部材２０によって覆い隠されるので、美観性を阻害することがない。
【００４２】
次いで、図５（ａ）に示すように、上記のように壁面材２に対して取付け固定された各見切り受け部材１０の係合凹溝１４に、各見切りカバー部材２０の係合突条２３を嵌め入れ、各見切り受け部材１０に、各見切りカバー部材２０を取付ける。
この状態では、上記したように、各見切り受け部材１０の外表面は、当接片部１５の内方側端面１５ａを除いて、上記見切りカバー部材２０に覆い隠されて、露出せず、これら複数枚からなる建築用パネル３０の集合体の四周端部の美観性を向上させることができる。
次いで、上記各見切りカバー部材２０の側部カバー部２４の内方側面に設けられた上記係止受け片２５に、固定金具７の押さえ片９を当接、係止させて、該見切りカバー部材２０を壁面材２に対して固定する（図３も参照）。この固定金具７は、見切りカバー部材２０を壁面材２に対して固定する固定部材として機能し、上記のように、建築用パネル３０の集合体の四周の端部に沿ってそれぞれ配設された見切り縁材１の上記コーナー部にそれぞれ配設される。すなわち、各見切りカバー部材２０の長手方向の両端部が、上記固定金具７によって壁面材２に対して固定される。
【００４３】
上記固定金具７は、見切りカバー部材２０を壁面材２に対して固定する機能を有するものであれば、どのようなものでもよいが、図例では、ねじＢ（図５（ｂ）参照）が挿通される挿通孔８ａが開設され、壁面材２に当接して固定される固定基部８と、該固定基部８から手前側に向けて屈曲形成されるとともに、該固定基部８からＬ字状に延びるように設けられた一対の押さえ片９，９とを有し、平面視して略Ｌ字状に形成された固定金具７とされている。すなわち、上記一対の押さえ片９，９は、上記見切りカバー部材２０の上記係止受け片２５の手前側面に当接して係止し得るように、上記固定基部８から手前側に向けて段差を形成するように屈曲形成されている。
上記のような一対の押さえ片９，９を有した固定金具７とすることで、上記コーナー部において近接して配置された各見切りカバー部材２０，２０の長手方向の各端部を、一つの固定金具７によって、壁面材２に対して固定することができる。
【００４４】
次いで、図５（ｂ）に示すように、上記のように各コーナー部において近接して配置された各見切りカバー部材２０，２０の上記各端部に、上記コーナー部を覆うように、コーナーキャップ６を取付ける。
以上のようにして、各部材を壁面財２に対して取付け施工して、図２に示すように、複数枚の建築用パネル３０が壁面材２に取付け施工される。
尚、上記ねじＢは、例えば、ビスや釘等の固定止具でも良いが、本実施形態のように、壁面材２を下地材とした場合には、ボードアンカー（ボードファスナー）タイプのものとしてもよい。この場合は、例えば、壁面材２に開設した穴部に、ボードアンカーを挿入し、ねじを締め付けた後、ねじを脱離させ、固定金具７をボードアンカーにセットして、ねじを締め付けることで、固定金具７を壁面材２に対して固定するようにしてもよい。
また、上記施工手順は、一例に過ぎず、各部材の機能を阻害しない限りにおいて、別手順でなされるようにしてもよい。
【００４５】
以上のように、本実施形態に係る見切り縁材１を用いた建築用パネルの端部納め構造によれば、壁面材２に固定された見切り受け部材１０によって、施工時に建築用パネル３０を仮保持でき、施工性を向上させることができる。
また、該見切り受け部材１０は、上記のように、本実施形態では、合成樹脂製としているので、上記建築用パネル３０の端部３１を、上記コ字状空間に嵌め入れる際に、上記見切り受け部材１０の当接片部１５によって、上記建築用パネル３０の端面近傍表面３３が傷付けられるようなことがない。また、該当接片部１５は、上記のように金属製の見切りカバー部材２０の当接片カバー部２２によって、強固に補強されるので、建築用パネル３０の端部３１を、これら見切り受け部材１０と見切りカバー部材２０とによって強固に保持することができる。
【００４６】
さらに、本実施形態では、上記見切り受け部材１０の当接片部１５と、上記見切りカバー部材２０の当接片カバー部２２とを、これらの内方側端面１５ａ，２２ａが略整合した位置に配されるように形成しているので、例えば、上記当接片部１５の建築用パネル内方側への出幅が上記当接片カバー部２２よりも小さいものでは、該当接片カバー部と建築用パネルの表面との間の空間に、ゴミ等が溜まり易くなるが、そのようなことを防止できる。
さらにまた、本実施形態では、上記見切り受け部材１０の当接片部１５は、その内方側端部に、上記建築用パネル３０の端面近傍表面３３側に向けて折り曲げ形成されるとともに、該端面近傍表面３３に当接される折り曲げ片部１５ｂを有しているので、例えば、該当接片部の建築用パネル側の面が平らに形成されているものと比べて、該建築用パネル表面との当接が確実になされ、建築用パネル３０の端面近傍表面３３と該当接片部１５の折り曲げ片部１５ｂとの間に浮きや隙間等が生じることを低減できる。
【００４７】
また、本実施形態では、上記見切り受け部材１０の立ち上がり壁部１３における上記建築用パネル３０の端部３１の端面３２に対面される対面部の先端側部位に、上記のように段状の切欠を形成している。従って、見切り受け部材１０の立ち上がり壁部１３の上記基端側対面部１３ａに、上記建築用パネル３０の端部端面３２を当接させて施工した際に、上記段状の切欠が、上記見切りカバー部材２０の係合突条２３を上記係合凹溝１４に嵌め入れる際における該立ち上がり壁部１３の建築用パネル端面方向への弾性変形を許容する逃げ凹所として機能する。これにより、該見切り受け部材１０の係合凹溝１４への見切りカバー部材２０の係合突条２３の嵌め入れが、スムーズになされ、見切り受け部材１０と見切りカバー部材２０との組み付け性を阻害することがない。
【００４８】
さらに、本実施形態では、上記のように各見切りカバー部材２０は、その長手方向の両端部が、上記固定金具７によって、壁面材２に対して固定される構造とされているので、建築用パネル３０の端部３１を、より強固に保持できる。すなわち、本実施形態に係る建築用パネルの端部納め構造によれば、合成樹脂製の見切り受け部材１０と、金属製の見切りカバー部材２０とによって、建築用パネル３０の端部３１を保持できるとともに、その金属製の見切りカバー部材２０を、壁面材２に対して固定することで、該端部３１が強固に保持される。
さらにまた、本実施形態のように、複数枚の建築用パネル３０を、縦横に並列して配置し、上下に隣接した端部間に、上記横目地部材４を介在させ、その鍔部４ａによって、各建築用パネル３０の上下端部の表面を保持する構造とするとともに、該横目地部材４の長手方向の両端部は、上記見切りカバー部材２０の当接片カバー部２２によって上記のように保持されているので、建築用パネル３０の集合体の四周端部のみならず、各建築用パネル３０の端部３１の保持も強固になされる。
【００４９】
また、上記のように、上記見切りカバー部材２０は、上記見切り受け部材１０に対して着脱自在に係合保持される構造とされているので、例えば、建築用パネル３０を交換等したい際には、上記コーナーキャップ６及び上記固定金具７を取外すとともに、上記見切りカバー部材２０を上記見切り受け部材１０から脱離させ、さらに、上記横目地部材４及び縦目地部材５のそれぞれカバー目地部材を目地受け部材から脱離させることで、建築用パネル３０を順次、取外すことができ、交換することができる。
尚、上記建築用パネルの端部納め構造では、上記見切り縁材１を、壁面材２に対して部分的に施工された複数枚の建築用パネル３０からなる集合体の最外周端部に沿って、四周にそれぞれ配設する例を示しているが、縦及び／又は横に並設された複数枚の建築用パネルの少なくとも一端部に沿って配設するようにしてもよい。例えば、縦、横のうち一方向に沿って長尺とされた一枚の建築用パネルを、他方向に沿って複数枚、取付け施工するような態様において、その少なくとも一端部に沿って本実施形態に係る見切り縁材１を取付け施工するような態様としてもよい。
【００５０】
次に、本発明に係る他の実施の形態について、図面を参照しながら説明する。
図６は、第２実施形態に係るパネル端部納め用部材を模式的に示し、図１（ｂ）に対応させた図である。
尚、本実施形態においても、パネル端部納め用部材として、見切り縁材を例示しており、上記第１実施形態との相違点は、主に、見切り受け部材の構成であり、同様の構成については、同一符合を付して、その説明を省略あるいは簡略に説明する。
また、本実施形態に係る見切り縁材を上記第１実施形態で説明した建築用パネルの端部納め構造に適用してもよい。
【００５１】
本実施形態に係る見切り縁材１Ａは、壁面材２に対して、取付け施工された状態では、上記第１実施形態と外観上、略同様であり、大略的に、見切りカバー部材２０と、見切り受け部材１０Ａとを備え、該見切りカバー部材２０は、上記第１実施形態と同様の構成である。
上記見切り受け部材１０Ａは、本実施形態では、当接片部１５Ａの構成が上記第１実施形態とは異なり、立ち上がり壁部１３から内方側への出幅が、上記第１実施形態と比べて、小さく設定されている。
すなわち、換言すれば、上記見切りカバー部材２０の当接片カバー部２２の内方側端面２２ａが、上記見切り受け部材１０Ａの当接片部１５Ａの内方側端面１５ａよりも建築用パネル３０の内方側となる位置に配されるように形成されている。
【００５２】
上記構成とされた本実施形態に係る見切り縁材１Ａによれば、上記見切りカバー部材２０の当接片カバー部２２の内方側端面２２ａを、上記見切り受け部材１０Ａの当接片部１５Ａの内方側端面１５ａよりも建築用パネル３０の内方側となる位置に配されるように形成しているので、上記見切り受け部材１０Ａの当接片部１５Ａを、上記見切りカバー部材２０の当接片カバー部２２によって、確実に覆い隠すことができ、美観性を阻害するようなことがない。
【００５３】
尚、上記各実施形態では、見切りカバー部材が見切り受け部材に対して着脱自在に係合保持される構造とした例を示しているが、着脱不能あるいは容易に着脱できない構造としてもよい。
また、上記見切り受け部材の係合凹溝及び該係合凹溝に嵌め入れられる上記見切りカバー部材の係合突条の形状は、図例のような凹溝状及び突条とされたものに限られず、例えば、上記見切り受け部材及び上記見切りカバー部材の一方の適所に形成した凹部と、他方に形成され、該凹部に嵌め入れられる凸部とされたものとしてもよい。
さらに、上記各実施形態では、これら係合突条と係合凹溝との係合方向が壁面材２に対して略垂直となる方向に沿って係合される構造とされたものを例示しているが、壁面材２の面と平行な方向に沿って係合される構造としてもよい。
【００５４】
さらにまた、上記各実施形態では、見切り受け部材を壁面材に固定するための固定片部として、立ち上がり壁部１３から幅方向両側に延設された第１固定片部１１と第２固定片部１２とを有した態様を例示しているが、いずれか一方、例えば、幅方向外方側に向けて延設された固定片部のみを有した態様としてもよい。
また、上記各実施形態では、見切り受け部材の当接片部を、その内方側端部に折り曲げ片部を有した態様を例示しているが、折り曲げ片部を設けずに、当接片部の裏面を略平らに形成したものとしてもよい。
さらに、上記各実施形態では、見切り受け部材の立ち上がり壁部の上記対面部に、段状の切欠を形成した態様を例示しているが、該対面部を略平らな面としてもよい。
【００５５】
さらにまた、上記各実施形態では、見切りカバー部材の側部カバー部の内方側面に、固定金具の押さえ片が当接される係止受け片を形成した態様を例示しているが、他の部位に形成するようにしてもよく、或いは、係止受け片を設けないようにしてもよい。この場合は、例えば、見切りカバー部材の前カバー部の手前側面に、上記したような固定金具の押さえ片を当接させて、該見切りカバー部材を壁面材に対して固定するような態様としてもよい。
【００５６】
また、上記各実施形態では、パネル端部納め用部材として、見切り縁材を例示しているが、例えば、隣接するパネル間に介在される目地部材としてもよい。このように本発明に係るパネル端部納め用部材を、目地部材に適用した場合には、上記当接片部を、目地受け部材の立ち上がり壁部の立ち上がり方向先端部の幅方向両側に突出させて形成すればよい。また、それに合わせてカバー目地部材を形成するようにすればよい。このように目地部材をパネル端部納め用部材として把握した場合には、その長手方向の両端部を下地材に対して固定するための固定部材を、上記した見切りカバー部材として把握したり、従来公知の他の見切り縁材を固定部材として把握したりしてもよい。或いは、別途、固定部材を設けるようにしてもよい。
【図面の簡単な説明】
【００５７】
【図１】（ａ）、（ｂ）は、いずれも本発明に係るパネル端部納め用部材の一実施形態を模式的に示し、（ａ）は、概略分解断面図、（ｂ）は、組み付けた状態を示す概略断面図である。
【図２】同パネル端部納め用部材を用いて、壁面に施工された建築用パネルの施工状態の一例を示す概略平面図である。
【図３】同パネル端部納め用部材を用いた建築用パネルの端部納め構造の一例を示し、図２におけるＸ−Ｘ線矢視概略断面図である。
【図４】（ａ）、（ｂ）は、いずれも同パネル端部納め用部材を用いた建築用パネルの施工手順の一例を説明するための説明図であり、それぞれ図２におけるＹ部に対応させた概略分解平面図である。
【図５】（ａ）、（ｂ）は、いずれも同パネル端部納め用部材を用いた建築用パネルの施工手順の一例を説明するための説明図であり、それぞれ図２におけるＹ部に対応させた概略分解平面図である。
【図６】本発明に係るパネル端部納め用部材の他の実施形態を模式的に示し、図１（ｂ）に対応させた図である。
【符号の説明】
【００５８】
１，１Ａ          見切り縁材（パネル端部納め用部材）
２                壁面材（下地材）
３                天井材（下地材）
１０，１０Ａ      見切り受け部材（受け部材）
１３              立ち上がり壁部
１３ａ            基端側対面部（対面部）
１３ｂ            先端側対面部（対面部）
１４              係合凹溝（係合凹部）
１５，１５Ａ      当接片部
１５ａ            当接片部の内方側端面（建築用パネルが配される側の側端面）
１５ｂ            当接片部の折り曲げ片部
２０              見切りカバー部材（カバー部材）
２２              当接片カバー部
２２ａ            当接片カバー部の内方側端面（建築用パネルが配される側の側端面）
２３              係合突条（係合凸部）
３０              建築用パネル
３１              建築用パネルの端部
３２              建築用パネルの端部の端面
３３              建築用パネルの端面近傍表面
【図１】
2010126872.tif 000003
【図２】
2010126872.tif 000004
【図３】
2010126872.tif 000005
【図４】
2010126872.tif 000006
【図５】
2010126872.tif 000007
【図６】
2010126872.tif 000008